(57)【要約】【課題】外付けの電話機を使用した際のダイヤル信号の誤認識の問題を解消するファクシミリ装置、ファクシミリ通信システム、ファクシミリ通信方法およびファクシミリ通信プログラムを得ること。【解決手段】ファクシミリ通信システム２０は、ダイヤル情報送出手段２１ｂを有する電話機２１をファクシミリ装置２２に接続する構成となっている。ファクシミリ装置２２の読み取った画像情報は電話機２１に送られ、この電話機２１の発信したダイヤル情報の宛先にファクシミリ信号として送信される。電話機２１は、ファクシミリ信号受信手段２１ｃで受信したファクシミリ信号をファクシミリ装置２２に送出することもできる。【選択図】図２
2014022980.tif 000002
【特許請求の範囲】
【請求項１】
所定の電話機がこれに備えられた電話機用回線を経て受信した文書の画像情報を表わしたファクシミリ信号を入力する入力用接続端子と、
この入力用接続端子から入力した前記ファクシミリ信号を復調して前記文書の画像情報を再生する復調手段と、
送信の対象となる文書の画像情報を変調する変調手段と、
この変調手段によって変調した文書の画像情報を表わすファクシミリ信号を前記所定の電話機で入力して発信したダイヤル情報の示す宛先への送信用として前記所定の電話機に出力する出力用接続端子
とを具備することを特徴とするファクシミリ装置。
【請求項２】
装置本体に独自に収容するファクシミリ装置用回線と接続するファクシミリ装置用回線接続端子と、
このファクシミリ装置用回線接続端子に接続した前記ファクシミリ装置用回線を経て受信した文書の画像情報を表わしたファクシミリ信号と、前記入力用接続端子から入力されたファクシミリ信号のいずれか一方を前記復調手段に供給する復調手段用信号選択手段と、
前記変調手段によって変調した前記ファクシミリ信号を前記ファクシミリ装置用回線を経て出力するか前記出力用接続端子を経て出力するかを選択する変調手段用信号選択手段
とを具備することを特徴とする請求項１記載のファクシミリ装置。
【請求項３】
前記ファクシミリ装置用回線接続端子に前記ファクシミリ装置用回線が接続されているか否かを判別する回線検出手段を更に具備することを特徴とする請求項２記載のファクシミリ装置。
【請求項４】
前記回線検出手段が前記ファクシミリ装置用回線が接続されていないと判別したとき、前記入力用接続端子から入力されたファクシミリ信号を前記復調手段用信号選択手段で選択させ、前記変調手段用信号選択手段は前記出力用接続端子を経て前記変調手段によって変調した前記ファクシミリ信号を出力するように選択させることを特徴とする請求項３記載のファクシミリ装置。
【請求項５】
各種の視覚的な情報を表示する表示手段と、
前記回線検出手段が前記ファクシミリ装置用回線が接続されていないと判別したとき、前記所定の電話機を使用してファクシミリ信号の送受信を行う際の助けとなる情報を前記表示手段に表示するヘルプ手段
とを具備することを特徴とする請求項３記載のファクシミリ装置。
【請求項６】
通信相手となる特定の装置に接続するためのダイヤル情報を入力するダイヤル情報入力手段と、このダイヤル情報入力手段で入力したダイヤル情報を自装置に接続した電話機用回線を経て交換機に送出するダイヤル情報送出手段と、前記自装置に接続した電話機用回線を経て所定の文書の画像情報を表わしたファクシミリ信号が送られてくるときこれを受信するファクシミリ信号受信手段とを備えた所定の電話機と、
請求項１〜５いずれかに記載のファクシミリ装置
とを具備することを特徴とするファクシミリ通信システム。
【請求項７】
前記所定の電話機は、前記ファクシミリ信号受信手段の受信したファクシミリ信号および前記ファクシミリ装置が前記ダイヤル情報入力手段で入力したダイヤル情報の示す宛先へ送信するファクシミリ信号を、前記ファクシミリ装置との間で授受するコネクタを具備することを特徴とする請求項６記載のファクシミリ通信システム。
【請求項８】
前記コネクタが前記ファクシミリ装置と接続されている状態で、かつ前記コネクタを経由してファクシミリ信号の送受信が行われていない状態で、前記所定の電話機の通話を確保するための送受話器と電話機本体を接続する経路を形成するスイッチ手段を具備していることを特徴とする請求項７記載のファクシミリ通信システム。
【請求項９】
文書の画像情報を表わしたファクシミリ信号の送受信に使用する回線としてのファクシミリ装置用回線がファクシミリ装置に接続されているか否かを検出する回線接続有無検出ステップと、
この回線接続有無検出ステップで前記ファクシミリ装置用回線がファクシミリ装置に接続されていないと判別したとき、ファクシミリ通信用の変復調装置を前記ファクシミリ装置用回線側からこのファクシミリ装置に外付けされた電話機との信号入出力側へと切り替える電話機側切替ステップと、
この電話機側切替ステップで前記電話機との信号入出力側へと切り替えた後、前記ファクシミリ装置のスタートキーが押下される時点を監視するスタートキー押下監視ステップと、
このスタートキー押下監視ステップでスタートキーが押下されたとき前記ファクシミリ装置に送信用の文書がセットされているか否かを判別する文書判別ステップと、
この文書判別ステップで文書がセットされていることが判別されたとき前記送信用の文書の読み取りを開始する文書読取ステップと、
この文書読取ステップで読み取った文書の画像情報を変調して前記電話機側切替ステップで切り替えられた前記電話機との信号入出力側の経路を介してこの電話機で発信したダイヤル情報の示す宛先へファクシミリ信号を送信する電話機経由送信ステップと、
前記文書判別ステップで文書がセットされていることが判別されなかったとき前記電話機との信号入出力側の経路を介してファクシミリ信号を受信する電話機経由受信ステップ
とを具備することを特徴とするファクシミリ通信方法。
【請求項１０】
ファクシミリ装置のコンピュータに、
文書の画像情報を表わしたファクシミリ信号の送受信に使用する回線としてのファクシミリ装置用回線がファクシミリ装置に接続されているか否かを検出する回線接続有無検出処理と、
この回線接続有無検出処理で前記ファクシミリ装置用回線が前記ファクシミリ装置に接続されていないと判別したとき、ファクシミリ通信用の変復調装置を前記ファクシミリ装置用回線側からこのファクシミリ装置に外付けされた電話機との信号入出力側へと切り替える電話機側切替処理と、
この電話機側切替処理で前記電話機との信号入出力側へと切り替えた後、前記ファクシミリ装置のスタートキーが押下される時点を監視するスタートキー押下監視処理と、
このスタートキー押下監視処理でスタートキーが押下されたとき前記ファクシミリ装置に送信用の文書がセットされているか否かを判別する文書判別処理と、
この文書判別処理で文書がセットされていることが判別されたとき前記送信用の文書の読み取りを開始する文書読取処理と、
この文書読取処理で読み取った文書の画像情報を変調して前記電話機側切替処理で切り替えられた前記電話機との信号入出力側の経路を介してこの電話機で発信したダイヤル情報の示す宛先へファクシミリ信号を送信する電話機経由送信処理と、
前記文書判別処理で文書がセットされていることが判別されなかったとき前記電話機との信号入出力側の経路を介してファクシミリ信号を受信する電話機経由受信処理
とを実行させることを特徴とするファクシミリ通信プログラム。
【発明の詳細な説明】
【技術分野】
【０００１】
本発明は、ファクシミリ装置、ファクシミリ通信システム、ファクシミリ通信方法およびファクシミリ通信プログラムに関する。本発明は、特に外付けの電話機を使用してファクシミリ通信を行うのに好適なファクシミリ装置、ファクシミリ通信システム、ファクシミリ通信方法およびファクシミリ通信プログラムに関する。
【背景技術】
【０００２】
画像情報を含む原稿等の各種文書を読み取って相手先の装置にファクシミリ信号として送信したり、相手先の装置からファクシミリ信号を受信するファクシミリ装置は、その装置本体に通信のための電話回線を接続する接続手段を有する構成となっているのが一般的である。このような一般的なファクシミリ装置は、ファクシミリ通信に必要な回路だけでなく、ダイヤル機能や通話時に使用する送受話器等の電話機自体の機能も併せ持っているのが通常である。この一方で、ファクシミリ装置の中には、コストダウン等の要請から、電話帳機能やオートダイヤル機能のようなユーザにとって便利な機能が備えられていない場合もある。
【０００３】
そこで、本発明の第１の関連技術として、ファクシミリ装置の本体に電話機を接続可能にして、その電話機の有する機能を活用できるようにすることが提案されている（たとえば特許文献１参照）。
【０００４】
図１０は、本発明の第１の関連技術によるファクシミリ装置と電話機の接続状態を示したものである。この第１の関連技術によるファクシミリ装置１００は、装置本体１０１にファクシミリ通信を行うための電話回線１０２を接続する第１の接続部１０３を備えている。また、このファクシミリ装置１００は、外付けの電話機１０４を使用するようになっており、この電話機１０４に接続されたケーブル１０５を装置本体１０１内を経由して電話回線１０２に接続するための第２の接続部１０６を備えている。
【０００５】
装置本体１０１内の各種制御を行う制御部１１１は、データバス等の信号伝達手段１１２を経由して、着信検出部１１３、モデム１１４、フック状態検出部１１５、ダイヤル信号検出部１１６、キーボード１１７、記録部１１８、読取部１１９および表示部１２０と接続されている。ここで、着信検出部１１３は図示しない他のファクシミリ装置からファクシミリ通信があったときその着信を検出する。モデム１１４はファクシミリ通信のための変調および復調を行う。フック状態検出部１１５は、外付けの電話機１０４のオンフックまたはオフフックを検出する。ダイヤル信号検出部１１６は、この電話機１０４の出力するダイヤル信号を検出する。キーボード１１７は、各種の操作に使用するキースイッチからなる。外付けの電話機１０４を使用せずに他のファクシミリ装置に文書を送信するとき、このキーボード１１７を使用してダイヤルすることができる。記録部１１８は、他のファクシミリ装置から送られてきた画像情報を含む文書を記録したり、自装置で読み取った文書のコピーを作成する。読取部１１９は自装置側の原稿を読み取るための１次元イメージセンサを備えている。表示部１２０は、各種の視覚的な情報を表示するディスプレイから構成されている。
【０００６】
着信検出部１１３、モデム１１４、フック状態検出部１１５およびダイヤル信号検出部１１６は、回線切換回路１２１と接続されている。回線切換回路１２１は、第１のケーブル１２２を介して第１の接続部１０３と接続されており、第２のケーブル１２３を介して第２の接続部１０６と接続されている。
【０００７】
このような第１の関連技術によるファクシミリ装置１００では、フック状態検出部１１５が外付けの電話機１０４のオンフックまたはオフフックを検出するようになっている。たとえば電話機１０４の送受話器１０４Ａが電話機本体１０４Ｂの上に置かれた状態としてのオンフックの状態で、回線切換回路１２１は電話回線１０２を着信検出部１１３およびモデム１１４と接続しており、外付けの電話機１０４とは切り離されている。
【０００８】
この状態で、ファクシミリ装置１００に電話回線１０２を介して他のファクシミリ装置からファクシミリ信号が送られてきたとする。すると、着信検出部１１３が着信を検出してモデム１１４が画像情報を復調して記録部１１８が文書をプリントアウトする。
【０００９】
次に第１の関連技術で外付けの電話機１０４を使用して相手側のファクシミリ装置に文書を送信する場合を説明する。ユーザがキーボード１１７上の所定の通信キーを押すと、制御部１１１は原稿が読取部１１９にセットされているかをチェックする。この状態で制御部１１１は電話機１０４の送受話器１０４Ａがオンフックの状態であることを検出すると、文書を自動で送信する自動送信モードにセットする。そして、ユーザが電話機１０４の送受話器１０４Ａを取り上げると、そのオフフックの状態でダイヤル信号検出部１１６が電話機１０４からダイヤル信号が送り出されるのを検出して、回線切換回路１２１がこれを電話回線１０２に送り出す。
【００１０】
ダイヤル信号検出部１１６がダイヤル信号の送出終了を検出すると、回線切換回路１２１はモデム１１４を電話回線１０２に接続してＣＮＧ（calling signal）信号を接続先の相手先のファクシミリ装置に送出する。ＣＮＧ信号は送信元が受信側のファクシミリ装置に対して自装置がファクシミリ装置であることを示す識別信号である。受信側のファクシミリ装置がこのＣＮＧ信号に対して応答すると、制御部１１１はこの応答を条件としてモデム１１４で変調した画像情報を含む文書を電話回線１０２を使用して送信する。
【００１１】
また、ユーザが外付けの電話機１０４をオフフックにした状態で原稿をセットした後に前記した所定の通信キーを押した場合には、制御部１１１はファクシミリ装置１００を手動モードに設定する。この場合、ユーザは電話機本体１０４Ｂを操作してダイヤル情報をマニュアルで入力した後に所定の交信手順を経て相手先のファクシミリ装置に文書を送信することができる。
【００１２】
このように第１の関連技術を使用すると、ファクシミリ装置１００を自動送信モードに設定することで、外付けの電話機１０４がオートダイヤル機能を有していれば、ユーザがダイヤル情報をいちいち入力することなく、相手先のファクシミリ装置に文書を送信することができる。また、第１の関連技術では、ＣＮＧ信号に対して相手先のファクシミリ装置が応答を返してきた時点を検出して文書の送信を開始することができる。したがって、ユーザが文書を送信するまでの操作の手間を省くことができる。
【００１３】
しかしながら、ファクシミリ装置の機能はこの第１の関連技術の提示された後も高度化してきており、装置本体内に電話帳機能を備えたり、オートダイヤル機能を備えることも一般化している。この一方で、デジタル回線やＩＰ（Internet Protocol）網を利用したファクシミリ通信に対応するファクシミリ装置の要請も高くなっている。
【００１４】
そこで本発明の第２の関連技術として、ファクシミリ装置をゲートウェイ装置に接続して、そのゲートウェイ装置の有する拡張機能を活用することが提案されている。この第２の関連技術では、ファクシミリ装置のアナログ電話回線をゲートウェイ装置のアナログ信号用の端子に接続するようにしている。ゲートウェイ装置は、ファクシミリ装置が文書を送信しようとするときにアナログ電話回線から送られてくるアナログダイヤル信号を検出し、回線の形態に即した電話番号を表わす識別信号へ変換するようになっている。
【先行技術文献】
【特許文献】
【００１５】
【特許文献１】特開平０４−０２３５６３号公報（第２ページ左上欄第７行目〜第３ページ右上欄第１３行目、第１図、第２図）
【発明の概要】
【発明が解決しようとする課題】
【００１６】
ところが、この第２の関連技術を使用すると、ゲートウェイ装置によっては人為的な設定ミスやその他の理由でダイヤル信号を誤認識する事態が発生することがある。ダイヤル信号の誤認識が発生すると、間違った相手側のファクシミリ装置に文書が送信されることになる。したがって、特に機密情報や個人情報が含まれた文書についてはセキュリティ上の問題が発生する。
【００１７】
もちろん、ダイヤル番号の誤認識が人為的なミスによる場合にはゲートウェイ装置の送信履歴を調べることで、以後の送信に関する問題が解決する場合もある。しかしながら、送信履歴を調べてもダイヤル信号の誤認識についてのすべての問題が将来にわたって解決されるとは限らない。したがって、ゲートウェイ装置を使用することでファクシミリ装置が必要とする機能を追加することは万全な解決策とはいえない。
【００１８】
そこで本発明の目的は、外付けの電話機を使用した際のダイヤル信号の誤認識の問題を解消するファクシミリ装置、ファクシミリ通信システム、ファクシミリ通信方法およびファクシミリ通信プログラムを得ることを目的とする。
【課題を解決するための手段】
【００１９】
本発明では、（イ）所定の電話機がこれに備えられた電話機用回線を経て受信した文書の画像情報を表わしたファクシミリ信号を入力する入力用接続端子と、（ロ）この入力用接続端子から入力した前記したファクシミリ信号を復調して前記した文書の画像情報を再生する復調手段と、（ハ）送信の対象となる文書の画像情報を変調する変調手段と、（ニ）この変調手段によって変調した文書の画像情報を表わすファクシミリ信号を前記した所定の電話機で入力して発信したダイヤル情報の示す宛先への送信用として前記した所定の電話機に出力する出力用接続端子とをファクシミリ装置が具備する。
【００２０】
また、本発明では、（イ）通信相手となる特定の装置に接続するためのダイヤル情報を入力するダイヤル情報入力手段と、このダイヤル情報入力手段で入力したダイヤル情報を自装置に接続した電話機用回線を経て交換機に送出するダイヤル情報送出手段と、前記した自装置に接続した電話機用回線を経て所定の文書の画像情報を表わしたファクシミリ信号が送られてくるときこれを受信するファクシミリ信号受信手段とを備えた所定の電話機と、（ロ）請求項１〜５いずれかに記載のファクシミリ装置とをファクシミリ通信システムが具備する。
【００２１】
更に本発明では、（イ）文書の画像情報を表わしたファクシミリ信号の送受信に使用する回線としてのファクシミリ装置用回線がファクシミリ装置に接続されているか否かを検出する回線接続有無検出ステップと、（ロ）この回線接続有無検出ステップで前記したファクシミリ装置用回線がファクシミリ装置に接続されていないと判別したとき、ファクシミリ通信用の変復調装置を前記したファクシミリ装置用回線側からこのファクシミリ装置に外付けされた電話機との信号入出力側へと切り替える電話機側切替ステップと、（ハ）この電話機側切替ステップで前記した電話機との信号入出力側へと切り替えた後、前記したファクシミリ装置のスタートキーが押下される時点を監視するスタートキー押下監視ステップと、（ニ）このスタートキー押下監視ステップでスタートキーが押下されたとき前記したファクシミリ装置に送信用の文書がセットされているか否かを判別する文書判別ステップと、（ホ）この文書判別ステップで文書がセットされていることが判別されたとき前記した送信用の文書の読み取りを開始する文書読取ステップと、（へ）この文書読取ステップで読み取った文書の画像情報を変調して前記した電話機側切替ステップで切り替えられた前記した電話機との信号入出力側の経路を介してこの電話機で発信したダイヤル情報の示す宛先へファクシミリ信号を送信する電話機経由送信ステップと、（ト）前記した文書判別ステップで文書がセットされていることが判別されなかったとき前記した電話機との信号入出力側の経路を介してファクシミリ信号を受信する電話機経由受信ステップとをファクシミリ通信方法が具備する。
【００２２】
更にまた本発明では、ファクシミリ装置のコンピュータに、ファクシミリ通信プログラムとして、（イ）文書の画像情報を表わしたファクシミリ信号の送受信に使用する回線としてのファクシミリ装置用回線がファクシミリ装置に接続されているか否かを検出する回線接続有無検出処理と、（ロ）この回線接続有無検出処理で前記したファクシミリ装置用回線が前記したファクシミリ装置に接続されていないと判別したとき、ファクシミリ通信用の変復調装置を前記したファクシミリ装置用回線側からこのファクシミリ装置に外付けされた電話機との信号入出力側へと切り替える電話機側切替処理と、（ハ）この電話機側切替処理で前記した電話機との信号入出力側へと切り替えた後、前記したファクシミリ装置のスタートキーが押下される時点を監視するスタートキー押下監視処理と、（ニ）このスタートキー押下監視処理でスタートキーが押下されたとき前記したファクシミリ装置に送信用の文書がセットされているか否かを判別する文書判別処理と、（ホ）この文書判別処理で文書がセットされていることが判別されたとき前記した送信用の文書の読み取りを開始する文書読取処理と、（へ）この文書読取処理で読み取った文書の画像情報を変調して前記した電話機側切替処理で切り替えられた前記した電話機との信号入出力側の経路を介してこの電話機で発信したダイヤル情報の示す宛先へファクシミリ信号を送信する電話機経由送信処理と、（ト）前記した文書判別処理で文書がセットされていることが判別されなかったとき前記した電話機との信号入出力側の経路を介してファクシミリ信号を受信する電話機経由受信処理とを実行させる。
【発明の効果】
【００２３】
以上説明したように本発明によれば、電話機が発信して電話機用回線に送出したダイヤル情報をゲートウェイ装置ではなく、交換機が処理することになる。したがって、ファクシミリ装置に外付けの電話機を使用した際のゲートウェイ装置に起因するダイヤル信号の誤認識の問題が生じない。しかも本発明によれば、ファクシミリ装置とは別に設けられた電話機を使用してファクシミリ信号の送受信を行うので、その電話機の電話帳を活用したり、短縮ダイヤル機能を活用する、あるいはアナログ回線以外の回線に接続されたファクシミリ装置に文書を送信するといったような、その電話機の特徴を生かした通信が可能になる。
【００２４】
更に本発明のファクシミリ通信システムによれば、ファクシミリ装置用回線に何らかの障害が発生したような場合、あるいはファクシミリ装置用回線を用意していない場合でも、外付けの電話機をファクシミリ装置に接続してファクシミリ通信を行うことが可能である。したがって、ファクシミリ通信の利便性や信頼性を向上させることができる。
【図面の簡単な説明】
【００２５】
【図１】本発明のファクシミリ装置のクレーム対応図である。
【図２】本発明のファクシミリ通信システムのクレーム対応図である。
【図３】本発明のファクシミリ通信方法のクレーム対応図である。
【図４】本発明のファクシミリ通信プログラムのクレーム対応図である。
【図５】本発明の実施の形態によるファクシミリ通信システムの構成の概要を表わしたシステム構成図である。
【図６】本実施の形態で使用する電話機の回路構成の概要を表わしたブロック図である。
【図７】本実施の形態でファクシミリ装置に外付けされる電話機の制御の概要を表わした流れ図である。
【図８】本実施の形態のファクシミリ装置の制御の概要を表わした流れ図である。
【図９】本実施の形態で外付け通信モードにおけるファクシミリ装置の制御の様子を表わした流れ図である。
【図１０】本発明の第１の関連技術によるファクシミリ装置と電話機の接続状態を示した構成図である。
【発明を実施するための形態】
【００２６】
図１は、本発明のファクシミリ装置のクレーム対応図を示したものである。本発明のファクシミリ装置１０は、入力用接続端子１１と、復調手段１２と、変調手段１３と、出力用接続端子１４を備えている。ここで、入力用接続端子１１は、所定の電話機がこれに備わった電話機用回線を経て受信した文書の画像情報を表わしたファクシミリ信号を入力する。復調手段１２は、入力用接続端子１１から入力した前記したファクシミリ信号を復調して前記した文書の画像情報を再生する。変調手段１３は、送信の対象となる文書の画像情報を変調する。出力用接続端子１４は、変調手段１３によって変調した文書の画像情報を表わすファクシミリ信号を前記した電話機で入力して発信したダイヤル情報の示す宛先への送信用として前記した電話機に出力する。
【００２７】
図２は、本発明のファクシミリ通信システムのクレーム対応図を示したものである。本発明のファクシミリ通信システム２０は、所定の電話機２１と、ファクシミリ装置２２を備えている。ここで、所定の電話機２１は、ダイヤル情報入力手段２１ａと、ダイヤル情報送出手段２１ｂと、ファクシミリ信号受信手段２１ｃを備えている。ダイヤル情報入力手段２１ａは、通信相手となる特定の装置に接続するためのダイヤル情報を入力する。ダイヤル情報送出手段２１ｂは、ダイヤル情報入力手段２１ａで入力したダイヤル情報を自装置に接続した電話機用回線を経て交換機に送出する。ファクシミリ信号受信手段２１ｃは、前記した自装置に接続した電話機用回線を経て所定の文書の画像情報を表わしたファクシミリ信号が送られてくるときこれを受信する。
【００２８】
図３は、本発明のファクシミリ通信方法のクレーム対応図を示したものである。本発明のファクシミリ通信方法３０は、回線接続有無検出ステップ３１と、電話機側切替ステップ３２と、スタートキー押下監視ステップ３３と、文書判別ステップ３４と、文書読取ステップ３５と、電話機経由送信ステップ３６と、電話機経由受信ステップ３７を備えている。ここで、回線接続有無検出ステップ３１では、文書の画像情報を表わしたファクシミリ信号の送受信に使用する回線としてのファクシミリ装置用回線がファクシミリ装置に接続されているか否かを検出する。電話機側切替ステップ３２では、回線接続有無検出ステップ３１で前記したファクシミリ装置用回線がファクシミリ装置に接続されていないと判別したとき、ファクシミリ通信用の変復調装置を前記したファクシミリ装置用回線側からこのファクシミリ装置に外付けされた電話機との信号入出力側へと切り替える。スタートキー押下監視ステップ３３では、電話機側切替ステップ３２で前記した電話機との信号入出力側へと切り替えた後、前記したファクシミリ装置のスタートキーが押下される時点を監視する。文書判別ステップ３４では、スタートキー押下監視ステップ３３でスタートキーが押下されたとき前記したファクシミリ装置に送信用の文書がセットされているか否かを判別する。文書読取ステップ３５では、文書判別ステップ３４で文書がセットされていることが判別されたとき前記した送信用の文書の読み取りを開始する。電話機経由送信ステップ３６では、文書読取ステップ３５で読み取った文書の画像情報を変調して前記した電話機側切替ステップで切り替えられた前記した電話機との信号入出力側の経路を介してこの電話機で発信したダイヤル情報の示す宛先へファクシミリ信号を送信する。電話機経由受信ステップ３７では、文書判別ステップ３４で文書がセットされていることが判別されなかったとき前記した電話機との信号入出力側の経路を介してファクシミリ信号を受信する。
【００２９】
図４は、本発明のファクシミリ通信プログラムのクレーム対応図を示したものである。本発明のファクシミリ通信プログラム４０は、ファクシミリ装置のコンピュータに、回線接続有無検出処理４１と、電話機側切替処理４２と、スタートキー押下監視処理４３と、文書判別処理４４と、文書読取処理４５と、電話機経由送信処理４６と、電話機経由受信処理４７を実行させるようにしている。ここで、回線接続有無検出処理４１では、文書の画像情報を表わしたファクシミリ信号の送受信に使用する回線としてのファクシミリ装置用回線がファクシミリ装置に接続されているか否かを検出する。電話機側切替処理４２では、回線接続有無検出処理４１で前記したファクシミリ装置用回線が前記したファクシミリ装置に接続されていないと判別したとき、ファクシミリ通信用の変復調装置を前記したファクシミリ装置用回線側からこのファクシミリ装置に外付けされた電話機との信号入出力側へと切り替える。スタートキー押下監視処理４３では、電話機側切替処理４２で前記した電話機との信号入出力側へと切り替えた後、前記したファクシミリ装置のスタートキーが押下される時点を監視する。文書判別処理４４では、スタートキー押下監視処理４３でスタートキーが押下されたとき前記したファクシミリ装置に送信用の文書がセットされているか否かを判別する。文書読取処理４５では、文書判別処理４４で文書がセットされていることが判別されたとき前記した送信用の文書の読み取りを開始する。電話機経由送信処理４６では、文書読取処理４５で読み取った文書の画像情報を変調して前記した電話機側切替処理で切り替えられた前記した電話機との信号入出力側の経路を介してこの電話機で発信したダイヤル情報の示す宛先へファクシミリ信号を送信する。電話機経由受信処理４７では、文書判別処理４４で文書がセットされていることが判別されなかったとき前記した電話機との信号入出力側の経路を介してファクシミリ信号を受信する。
【００３０】
＜発明の実施の形態＞
【００３１】
次に本発明の実施の形態を説明する。
【００３２】
図５は、本発明の実施の形態によるファクシミリ通信システムの構成の概要を表わしたものである。本実施の形態のファクシミリ通信システム２００を構成するファクシミリ装置２０１は、その装置本体２０２の側面のそれぞれ所定位置に回線差込み用雌型コネクタ２０３と、送受話器ケーブル差込み用雌型コネクタ２０４と、電話機本体側ケーブル差込み用雌型コネクタ２０５を配置した構成となっている。
【００３３】
回線差込み用雌型コネクタ２０３には、必要により第１の電話回線２１１の雄型コネクタとしての６極２芯のモジュラージャック２０６を接続することができる。また、送受話器ケーブル差込み用雌型コネクタ２０４には、ユーザが必要により、電話機２１２の送受話器２１３に接続された一例として４極４芯のジャックからなる送受話器ケーブル雄型コネクタ２０７を接続することができる。電話機２１２を使用するこの場合には、電話機本体側ケーブル差込み用雌型コネクタ２０５に対して、一例として４極４芯のジャックで構成された電話機本体ケーブル雄型コネクタ２０８を接続する。電話機本体２１４には、電話機２１２の通信に使用する第２の電話回線２１５が接続されている。第２の電話回線２１５は、有線回線であってもよいし、無線回線であってもよい。
【００３４】
装置本体２０２内部は、一部の回路を除いて基本的に通常存在するファクシミリ装置と同一の回路構成となっている。すなわち、装置本体２０２内部には、ファクシミリ装置２０１の全体的な制御を行う主制御部２２１を備えている。主制御部２２１は、ＣＰＵ（Central Processing Unit）２２２と、このＣＰＵ２２２の実行するプログラムを格納したメモリ２２３を備えている。ＣＰＵ２２２は、図示しないデータバス等の信号伝達手段を用いて次の各部と接続されている。
【００３５】
読取部２２４は、たとえば１次元イメージセンサを備えており、図示しない原稿トレイに収容された原稿（図示せず）を所定位置に搬送してその画像情報を読み取るようになっている。記録部２２５は、たとえばサーマルヘッド等の印刷装置を構成する部品を備えており、図示しない感熱記録紙等の記録紙に文書の画像情報を記録するようになっている。表示部２２６は、たとえば液晶ディスプレイを備えており、操作用等の各種情報を視覚的に表示し、ユーザの必要とする操作入力を促すようになっている。操作部２２７は、複数のキースイッチあるいはキーボタンからなり、たとえば電話番号を入力するためのダイヤルキーや、動作の開始あるいは停止のためのスタートキーやストップキーを構成する。ユーザは、これらのキーを操作することで必要な情報を入力し、主制御部２２１に伝達することができる。
【００３６】
ファクシミリモデム２２８は、図示しないアナログ信号生成回路とアナログ信号検出回路で構成されている。ファクシミリモデム２２８は、主制御部２２１の制御によりファクシミリ通信に用いる各種アナログ信号を生成し、相手局からのアナログ信号を検出する役割を担う。また、ファクシミリ信号の送信時には読取部２２４の読み取った画像情報をアナログ画像信号に変換する一方、受信時には図示しない他のファクシミリ装置から受け取ったアナログ画像信号を記録部２２５で記録するための画像信号へ変換する役割を担う。
【００３７】
第１の切替部２２９は第１の電話回線２１１と第２の電話回線２１５のいずれを通信に使用するかに応じて、リレー接点等の切替手段で構成される第１および第２のスイッチ２３１、２３２を第１の電話回線２１１側か電話機２１２側に同時に切り替えるようになっている。ファクシミリモデム２２８と第１の切替部２２９の間には、第１のスイッチ２３１のコモン接点Ｃ側を接続して受信したファクシミリ信号をファクシミリモデム２２８に見合うよう増幅する第１の増幅器２３４と、変調後のファクシミリ信号の送信電力を送話路に見合うように増幅する第２の増幅器２３５が接続されている。第２の増幅器２３５はその増幅後の信号を第２のスイッチ２３２のコモン接点Ｃ側に接続している。
【００３８】
主制御部２２１は、リレー接点等の切替手段で構成される第２の切替部２３３とも接続されている。第２の切替部２３３は、第３および第４のスイッチ２３６、２３７を電話機２１２側あるいは第１の切替部２２９側（ファクシミリモデム２２８側）に同時に切り替えるようになっている。第３のスイッチ２３６のコモン接点Ｃ側は、電話機本体側ケーブル差込み用雌型コネクタ２０５の一端に受話路２３８を介して接続されている。また、第４のスイッチ２３７のコモン接点Ｃ側は、電話機本体側ケーブル差込み用雌型コネクタ２０５の他端に送話路２３９を介して接続されている。
【００３９】
第１のスイッチ２３１のＡ接点と第２のスイッチ２３２のＡ接点には、２線−４線変換部２４１が接続されている。第１のスイッチ２３１のＢ接点は第３のスイッチ２３６のＢ接点に接続され、第２のスイッチ２３２のＢ接点は第４のスイッチ２３７のＢ接点に接続されている。第３のスイッチ２３６のＡ接点と第４のスイッチ２３７のＡ接点は、送受話器ケーブル差込み用雌型コネクタ２０４の一端あるいは他端に接続されている。
【００４０】
２線−４線変換部２４１はアナログハイブリッド回路で構成されている。２線−４線変換部２４１は、ファクシミリ装置２０１に第１の電話回線２１１が収容されている場合、音声信号を送話路と受話路に弁別し、ファクシミリモデム２２８の送信信号と受信信号を回線上で混合する。この２線−４線変換部２４１は、主制御部２２１による制御を受ける網制御部２４２を介して、回線検出部２４３と接続されている。回線検出部２４３は直流検出回路で構成されており、回線差込み用雌型コネクタ２０３に接続されている。網制御部２４２は、図示しないリレー、信号検出回路、整合回路等の回路で構成されており、第１の電話回線２１１が収容されている場合に回線交換と信号伝送の役割を担う。
【００４１】
回線検出部２４３は、装置本体２０２の回線差込み用雌型コネクタ２０３にモジュラージャック２０６を介して第１の電話回線２１１が接続されているかの検出および監視を行う。すなわち、回線差込み用雌型コネクタ２０３にモジュラージャック２０６が接続されて第１の電話回線２１１が収容されると、回線検出部２４３が線路に印加された直流を検出し、その検出結果を主制御部２２１に伝達するようになっている。
【００４２】
以上の構成のファクシミリ装置２０１で、第１および第２の切替部２２９、２３３および電話機２１２を接続するための送受話器ケーブル差込み用雌型コネクタ２０４および電話機本体側ケーブル差込み用雌型コネクタ２０５が通常のファクシミリ装置に備えられていない新たな回路となる。このような回路を使用する結果、本実施の形態のファクシミリ装置２０１の場合には、第２の電話回線２１５に接続された電話機２１２を使用可能な状態で第１の電話回線２１１の接続自体は不要となる。
【００４３】
本実施の形態のファクシミリ通信システム２００では、ファクシミリ装置２０１が３種類の雌型コネクタ２０３〜２０５を使用するので、これらにそれぞれを識別するネームタグを取り付けたり、ネームプレートを装置本体２０２の該当個所に貼り付けるようにしてもよい。たとえば、回線差込み用雌型コネクタ２０３には「電話回線」と表記したネームタグやネームプレートを用意する。また、送受話器ケーブル差込み用雌型コネクタ２０４には「送受話器」と表記したネームタグやネームプレートを用意する。更に、電話機本体側ケーブル差込み用雌型コネクタ２０５には「キーテレ」と表記したネームタグやネームプレートを用意すると便利である。第１の電話回線２１１、送受話器ケーブル雄型コネクタ２０７および電話機本体ケーブル雄型コネクタ２０８にも、同様の表記を行ったネームタグを用意するようにしてもよい。
【００４４】
ファクシミリ装置２０１内の主制御部２２１は、回線検出部２４３を監視し、第１の電話回線２１１の接続が検出されないうちは第１の切替部２２９を電話機２１２側（Ｂ接点側）へ接続する役割を担う。また、この電話機２１２の制御を行う状態で主制御部２２１は装置本体２０２に配置されている操作部２２７からの電話番号の入力を受け付けないよう制限する制御を行う。また、主制御部２２１は電話機２１２の操作に準じた固有のファクシミリ手順を表示部２２６へ表示させる役割を担うことで、ユーザの操作を補助する。
【００４５】
この結果として、ユーザが操作部２２７を用いて電話機２１２を使用したファクシミリ通信についての送信指示や受信指示を行うと、主制御部２２１は第２の切替部２３３をファクシミリモデム２２８を使用できる状態に切り替える。
【００４６】
図６は、本実施の形態で使用する電話機の回路構成の概要を表わしたものである。電話機２１２は、その全体的な制御を行う主制御部２６１を備えている。主制御部２６１は、ＣＰＵ２６２と、このＣＰＵ２６２が実行する制御プログラムを格納したメモリ２６３を備えている。主制御部２６１は、電話機共通回路部２６４、ファクシミリ送受信対応部２６５、回線接続部２６６、コネクタ接続部２６７およびモード判別部２６８と接続している。
【００４７】
ここで、電話機共通回路部２６４は通常の電話機としての機能を有する回路装置から構成されている。ファクシミリ送受信対応部２６５は、この電話機２１２を宛先として他のファクシミリ装置からファクシミリ信号が送られてきたときや、この電話機２１２を使用してファクシミリ信号を相手先のファクシミリ装置に送信するときに必要な対応を行う回路部分あるいはアプリケーションソフトウェアで構成されている。ファクシミリ送受信対応部２６５は、たとえば送受信の信号レベルをファクシミリ信号に対応するものに変更したり、ユーザの手動操作で足りない相手側のファクシミリ装置との必要なネゴシエーションを行うことになる。電話機２１２がＩＰ化されたパケットを用いてファクシミリ通信を行う場合に対応させる場合には、遅延エラーやパケット・ロスに対応する再送機能を備えるようにしてもよい。アプリケーションソフトウェアの書き換えによってメーカ独自のファクシミリ通信手順に対応するようになっていてもよい。
【００４８】
回線接続部２６６は、第２の電話回線２１５を接続している。コネクタ接続部２６７は、図５に示した送受話器ケーブル雄型コネクタ２０７および電話機本体ケーブル雄型コネクタ２０８と共に雌型コネクタ２６９を接続している。
【００４９】
送受話器ケーブル雄型コネクタ２０７は、本実施の形態の電話機２１２をファクシミリ通信に活用しようとする場合、図５に示したようにファクシミリ装置２０１の送受話器ケーブル差込み用雌型コネクタ２０４に接続するようになっている。これに対して、電話機２１２をファクシミリ通信に活用する予定がない場合には、送受話器ケーブル雄型コネクタ２０７を雌型コネクタ２６９に差し込んでおく。破線２７０は、送受話器ケーブル雄型コネクタ２０７が雌型コネクタ２６９に差し込まれたときの接続状態を示すものである。この接続状態で、ユーザは電話機２１２の送受話器２１３を用いて音声で通話を行うことができる。
【００５０】
モード判別部２６８は主制御部２６１と接続されると共にコネクタ接続部２６７とも接続されている。モード判別部２６８は、電話機２１２がファクシミリ装置２０１と無関係に通常の電話機としての通信を行う「通常モード」と、ファクシミリ装置２０１に接続された状態で通信を行う「ファクシミリ併用モード」の２種類のモードの判別を行うようになっている。この判別は、コネクタ接続部２６７に接続された電話機本体ケーブル雄型コネクタ２０８が、図５で示した電話機本体側ケーブル差込み用雌型コネクタ２０５に接続されているか否かで行うようになっている。具体的には、電話機本体ケーブル雄型コネクタ２０８が電話機本体側ケーブル差込み用雌型コネクタ２０５に接続されていない場合、モード判別部２６８は電話機２１２が「通常モード」であると判別する。また、電話機本体ケーブル雄型コネクタ２０８が電話機本体側ケーブル差込み用雌型コネクタ２０５に接続されている場合には、電話機２１２が通話だけでなくファクシミリ通信をも可能とする「ファクシミリ併用モード」に設定されていると判別する。「ファクシミリ併用モード」は、所定の条件で電話機２１２を用いた通話が可能である。すなわち、「ファクシミリ併用モード」はファクシミリ通信と電話による通話を可能にするモードである。
【００５１】
モード判別部２６８におけるこのようなモード判別は、電話機本体ケーブル雄型コネクタ２０８および図５に示した電話機本体側ケーブル差込み用雌型コネクタ２０５を工夫することによって簡単に実現可能である。たとえば、電話機本体ケーブル雄型コネクタ２０８における信号の伝達に使用しない２つの図示しない特定のピンに対応する電話機本体側ケーブル差込み用雌型コネクタ２０５の受け側（ソケットピン）をジャンパ線で予め接続しておく。そして、電話機本体ケーブル雄型コネクタ２０８側の前記した特定のピンの間が導通している場合には電話機本体ケーブル雄型コネクタ２０８が電話機本体側ケーブル差込み用雌型コネクタ２０５に接続されているので「通常モード」と判別する。前記した特定のピンの間が導通していない場合、モード判別部２６８は「ファクシミリ併用モード」と判別することになる。主制御部２６１は、モード判別部２６８の判別結果を監視して、電話機２１２を判別したモードに設定する。
【００５２】
なお、本実施の形態では電話機本体２１４に電話機本体ケーブル雄型コネクタ２０８を取り付けたので電話機２１２を単独使用する場合にこれを同じ雄型の送受話器ケーブル雄型コネクタ２０７と接続することができず、雌型コネクタ２６９を別途用意するようにしている。この代わりに送受話器ケーブル雄型コネクタ２０７の「雄型」を「雌型」に変更して、雌型コネクタ２６９を省略するようにしてもよい。この場合には、図５に示す電話機本体側ケーブル差込み用雌型コネクタ２０５の「雌型」も「雄型」に変更するようにすればよい。
【００５３】
図７は、本実施の形態でファクシミリ装置に外付けされる電話機の制御の概要を表わしたものである。図６と共に説明する。
【００５４】
主制御部２６１は、モード判別部２６８が通常モードと判別した場合には（ステップＳ３０１：Ｙ）、電話機２１２を通常の電話機として機能する通常モードに設定してそのモードを実行する（ステップＳ３０２）。通常モードではファクシミリ送受信対応部２６５がアクティブとなっておらず、これに対する電源の供給は行われない。
【００５５】
これに対して、制御部２６１はモード判別部２６８が通常モードではないと判別した場合（ステップＳ３０１：Ｎ）、電話機２１２のファクシミリ送受信対応部２６５をアクティブにしてこれに電源を供給する。これにより、電話機２１２は、ファクシミリ併用モードを実行することになる（ステップＳ３０３）。
【００５６】
図８は、ファクシミリ装置の制御の概要を表わしたものである。図５と共に説明する。
【００５７】
本実施の形態のファクシミリ装置２０１の主制御部２２１は回線検出部２４３を用いて、第１の電話回線２１１が装置本体２０２に接続されているかの監視を行っている。具体的には第１の電話回線２１１から直流が印加されるかの検出を行う（ステップＳ３２１）。直流成分が検出されている場合には（Ｙ）、第１の電話回線２１１が装置本体２０２に接続されているので、この第１の電話回線２１１を用いたファクシミリ通信が可能である。したがって、主制御部２２１は第１の電話回線２１１を使用したモードとしての「通常通信モード」を実行する（ステップＳ３２２）。
【００５８】
この通常通信モードでは、図示しない交換機を経た相手側のファクシミリ装置からファクシミリ装置２０１の電話番号を宛先としてファクシミリ信号が送られてくると、第１の電話回線２１１でこれを受信し、ファクシミリモデム２２８を使用して復調する。記録部２２５がこの復調した文書を記録する。
【００５９】
この通常通信モードで文書を送信しようとする場合、ユーザは原稿を図示しない原稿トレイにセットして操作部２２７のダイヤルキーを操作して相手先のファクシミリ装置の電話番号を入力する。そして、操作部２２７のスタートキーを押すことで読取部２２４が原稿の画像情報を読み取って、ファクシミリモデム２２８がこれを変調して第１の電話回線２１１を使用して送信する。以上の通常通信モードにおけるファクシミリ装置２０１の動作は、従来の一般的なファクシミリ装置と同様である。
【００６０】
一方、回線検出部２４３が第１の電話回線２１１からの直流成分を検出しなかった場合（ステップＳ３２１：Ｎ）、主制御部２２１は第１の電話回線２１１を用いたファクシミリ通信を行うことができない。そこで、この場合、主制御部２２１は外付けの電話機２１２を使用した「外付け通信モード」を実行することになる（ステップＳ３２３）。
【００６１】
「外付け通信モード」は、以上のように外付けの電話機２１２を使用するモードである。本実施の形態の「外付け通信モード」では、大まかに分けると次の３つの処理を行うことができる。
（１）外付けの電話機２１２の送受話器２１３を使用して、通話を行う処理。
（２）外付けの電話機２１２の第２の電話回線２１５を使用してファクシミリ送信を行う処理。
（３）外付けの電話機２１２の第２の電話回線２１５を使用してファクシミリ受信を行う処理。
【００６２】
図９は、外付け通信モードにおけるファクシミリ装置の制御の様子を表わしたものである。図５および図６と共に説明する。
【００６３】
主制御部２２１は外付け通信モードになると、第１の切替部２２９の第１および第２のスイッチ２３１、２３２を共にＢ接点側に切り替えると共に、第２の切替部２３３の第３および第４のスイッチ２３６、２３７を共にＡ接点側に切り替える（ステップＳ３４１）。これにより、ファクシミリ装置２０１は２線−４線変換部２４１、網制御部２４２および回線検出部２４３と切り離され、第１の電話回線２１１と無関係になる。
【００６４】
そこで制御部２２１は、この状態で外付けの電話機２１２が使用可能であることをユーザに知らせるための表示を表示部２２６に対して行うと共に、第１の電話回線２１１の使用を前提とした操作部２２７の入力を規制する（ステップＳ３４２）。具体的には、たとえば表示部２２６に「ファクシミリのご利用について、添付の電話機を用いて呼び出しをかけてください。」といった主旨のメッセージを表示して、ユーザが電話機２１２を使用するよう促す。また、ユーザが第１の電話回線２１１を使用した通常のファクシミリ通信を開始させるときに使用する操作部２２７のダイヤルキーを押下すると、図示しないスピーカからアラームを出力させて電話番号の入力が不可能であることを知らせる。
【００６５】
これにより、ユーザは第１の電話回線２１１が使用されない状態であることや、電話機２１２を使用して通信を行うべきことを知ることができる。また、何らかの理由で第１の電話回線２１１とファクシミリ装置２０１の接続状態にトラブルが発生していたような場合にも、これに対処して第１の電話回線２１１を用いた通常のファクシミリ通信を開始させることもできる。
【００６６】
主制御部２２１は表示部２２６に前記したメッセージを表示したら、更にその後のユーザの操作を案内するメッセージを表示させることもできる。たとえば「呼び出しをかけたら、原稿をセットし「スタート」を押して送信を開始してください」といった主旨のメッセージを表示部２２６に表示して文書の送信方法を指示することができる。また、「この状態で呼出音が鳴ったら、「スタート」を押してファクシミリの受信を開始させることができます。」というメッセージを表示部２２６に表示して電話機２１２を使用したファクシミリ受信が可能なことを知らせることができる。更に、「ファクシミリの送受信を行っていないときには、電話を掛けることもできます。」というメッセージを表示部２２６に表示して電話機２１２を使用した通話が可能なことを案内してもよい。
【００６７】
主制御部２２１はステップＳ３４２の処理を行っている状態で操作部２２７のスタートキーが押下されるのを監視している（ステップＳ３４３）。スタートキーの押下は、前記したようにファクシミリの送受信に必要な条件となる。したがって、スタートキーが押下されず（ステップＳ３４３：Ｎ）、また、回線検出部２４３が直流を検出していない状態（ステップＳ３４４：Ｎ）で、ユーザは必要により送受話器２１３を電話機本体２１４から取り上げて通話を行うことも可能である。
【００６８】
この通話が可能な状態で回線検出部２４３が直流を検出すれば（ステップＳ３４４：Ｙ）、この時点で主制御部２２１は第１の切替部２２９を第２の電話回線２１５側（Ａ接点側）に切り替えて（ステップＳ３４５：Ｙ）、通常通信モードに移行することになる。
【００６９】
次に、外付け通信モードでユーザが文書の送信を行う場合を説明する。この場合、ユーザは送受話器２１３を持ち上げて、電話機２１２の電話機共通回路部２６４に備えられた操作部を使用して相手先のファクシミリ装置の電話番号を入力する。そして、ファクシミリ送信の対象となる原稿（文書）を読取部２２４にセットして、相手先のファクシミリ装置が文書の送信を指示したらスタートキーを押す（ステップＳ３４３：Ｙ）。
【００７０】
すると、主制御部２２１は読取部２２４に原稿があるかどうかをチェックする（ステップＳ３４６）。この場合、読取部２２４に原稿が存在している（Ｙ）。そこで主制御部２２１は第２の切替部２３３の第４のスイッチ２３７をＢ接点側に切り替えて（ステップＳ３４７）、読取部２２４で原稿を読み取り、ファクシミリモデム２２８で変調した後のファクシミリ信号を電話機２１２から第２の電話回線２１５を使用して送信する（ステップＳ３４８）。ファクシミリ通信が継続している間は（ステップＳ３４９：Ｎ）、ステップＳ３４８の処理が続行する。通信が終了すると（ステップＳ３４９：Ｙ）、ステップＳ３４１の処理に戻る（リターン）。
【００７１】
最後に、外付け通信モードでユーザがファクシミリの受信を行う場合を説明する。この場合、送信側の図示しないファクシミリ装置は外付けの電話機２１２の電話番号を宛先としてファクシミリ通信を開始してくる。電話機２１２はこの状態でファクシミリ送受信対応部２６５がアクティブとなっている。電話機２１２は図示しない交換機からの呼出信号によって鳴動する。ユーザは送受話器２１３を電話機本体２１４から取り上げるか、スタートキーを押下することで相手局との接続を行う。ファクシミリの受信の開始を開始させるためには、表示部２２６の前記したメッセージによってスタートキーを押下することが必要である。
【００７２】
そこで、ユーザがスタートキーを押下すると（ステップＳ３４３：Ｙ）、主制御部２２１は読取部２２４に原稿があるかどうかをチェックする（ステップＳ３４６）。この場合、読取部２２４に原稿が存在していない（Ｎ）。そこで主制御部２２１は第２の切替部２３３の第３および第４のスイッチ２３６、２３７をＢ接点側に切り替える（ステップＳ３５０）。そして、電話機２１２が受信したファクシミリ信号をファクシミリモデム２２８で復調して記録部２２５で文書を記録する（ステップＳ３５１）。ファクシミリ通信が継続している間は（ステップＳ３５２：Ｎ）、ステップＳ３５１の処理が続行する。通信が終了すると（ステップＳ３５２：Ｙ）、ステップＳ３４１の処理に戻る（リターン）。
【００７３】
なお、ファクシミリの送信あるいは受信が終了した時点で（ステップＳ３４９：Ｙ、ステップＳ３５２：Ｙ）、ステップＳ３４１に処理が戻る。このため、ユーザはこの状態で送受話器２１３を使用して、通話を行うことができる。また、送受話器２１３を電話機本体２１４の上に置くことで（オンフック）、通話（通信）を終了させることもできる。
【００７４】
以上説明したように本実施の形態のファクシミリ通信システム２００によれば、ファクシミリ装置２０１に第１の電話回線２１１が接続されていない状態でも、電話機２１２に接続された第２の電話回線２１５を使用してファクシミリの送受信が可能になる。したがって、本実施の形態のファクシミリ装置２０１を使用すれば、従前のアナログ電話回線に加え、電話機２１２の装置本体２０２と送受話器２１３を結ぶ線路における装置本体２０２側の線路と、送受話器２１３側の線路とを各々収容することで、従前のアナログ電話回線に対応するだけでなく、アナログ電話回線を利用せずにファクシミリ通信を行うための線路も確保することができる。これにより、より信頼性の高い通信システムを実現することができる。
【００７５】
また、本実施の形態によれば、ファクシミリ装置２０１あるいは電話機２１２が制御プログラムを使用してモードや通信経路の選択を予め定めた手順で行うようにした。これにより、ユーザの煩わしい操作や設定を必要とせずに装置の使用が可能である。更に、選択された線路に応じてアナログでのダイヤル発信を自動的に規制し、選択された線路での利用法をユーザに促すようにしたので、ファクシミリ装置２０１の使用に慣れていない者であってもアナログダイヤル発信に依存しないファクシミリ通信を容易に実現することができる。
【００７６】
なお、実施の形態では電話機２１２の送受話器２１３と電話機本体２１４をファクシミリ装置２０１にケーブルで直接接続するようにしたが、これに限るものではない。たとえば有線ケーブルの代りに、無線を使用して電話機本体２１４とファクシミリ装置２０１が接続されるようになっていてもよい。
【００７７】
また、ファクシミリ装置と接続するための接続ケーブルを取り付けたカード装置を用意し、このカード装置を電話機の図示しないスロットに装着するようにしてもよい。このカード装置には、電話機自体のプログラム制御に必要な追加的なアプリケーションソフトウェアを格納したメモリを内蔵させておくことも可能である。
【００７８】
更に実施の形態では電話機２１２に接続された第２の電話回線２１５は有線であることを想定したが、無線回線であっても構わないことは当然である。更にまた、実施の形態では電話機２１２を使用するときの電話番号の入力はファクシミリ装置２０１側のダイヤルキーでできないように設定したが、これに限るものではない。ユーザが電話機２１２を使用してダイヤルを入力することを認知している前提では、比較的大型でダイヤル情報の入力操作がし易いファクシミリ装置２０１側のダイヤルキーを操作できるようにしてもよいことはもちろんである。もちろん、この場合にはファクシミリ装置２０１側のダイヤル情報等の所定の情報を電話機本体２１４側に伝達するための線路を追加する等の工夫が更に必要になる場合がある。
【００７９】
また、実施の形態ではファクシミリ送受信対応部２６５が最低限の機能でファクシミリ通信に対応する例を示したが、これに限るものではない。電話機２１２側のファクシミリ送受信対応部２６５がファクシミリ装置２０１側の主制御部２２１と連携する度合いを高めることで、ユーザが電話機２１２を使用しながら、それを特に意識しない操作で、専用のファクシミリ装置と同様のファクシミリ通信を可能にすることができることも当然である。
【００８０】
以上説明した実施の形態の一部または全部は、以下の付記のようにも記載されるが、以下の記載に限定されるものではない。
【００８１】
（付記１）
所定の電話機がこれに備えられた電話機用回線を経て受信した文書の画像情報を表わしたファクシミリ信号を入力する入力用接続端子と、
この入力用接続端子から入力した前記ファクシミリ信号を復調して前記文書の画像情報を再生する復調手段と、
送信の対象となる文書の画像情報を変調する変調手段と、
この変調手段によって変調した文書の画像情報を表わすファクシミリ信号を前記所定の電話機で入力して発信したダイヤル情報の示す宛先への送信用として前記所定の電話機に出力する出力用接続端子
とを具備することを特徴とするファクシミリ装置。
【００８２】
（付記２）
装置本体に独自に収容するファクシミリ装置用回線と接続するファクシミリ装置用回線接続端子と、
このファクシミリ装置用回線接続端子に接続した前記ファクシミリ装置用回線を経て受信した文書の画像情報を表わしたファクシミリ信号と、前記入力用接続端子から入力されたファクシミリ信号のいずれか一方を前記復調手段に供給する復調手段用信号選択手段と、
前記変調手段によって変調した前記ファクシミリ信号を前記ファクシミリ装置用回線を経て出力するか前記出力用接続端子を経て出力するかを選択する変調手段用信号選択手段
とを具備することを特徴とする付記１記載のファクシミリ装置。
【００８３】
（付記３）
前記ファクシミリ装置用回線接続端子に前記ファクシミリ装置用回線が接続されているか否かを判別する回線検出手段を更に具備することを特徴とする付記２記載のファクシミリ装置。
【００８４】
（付記４）
前記回線検出手段が前記ファクシミリ装置用回線が接続されていないと判別したとき、前記入力用接続端子から入力されたファクシミリ信号を前記復調手段用信号選択手段で選択させ、前記変調手段用信号選択手段は前記出力用接続端子を経て前記変調手段によって変調した前記ファクシミリ信号を出力するように選択させることを特徴とする付記３記載のファクシミリ装置。
【００８５】
（付記５）
各種の視覚的な情報を表示する表示手段と、
前記回線検出手段が前記ファクシミリ装置用回線が接続されていないと判別したとき、前記所定の電話機を使用してファクシミリ信号の送受信を行う際の助けとなる情報を前記表示手段に表示するヘルプ手段
とを具備することを特徴とする付記３記載のファクシミリ装置。
【００８６】
（付記６）
通信相手となる特定の装置に接続するためのダイヤル情報を入力するダイヤル情報入力手段と、このダイヤル情報入力手段で入力したダイヤル情報を自装置に接続した電話機用回線を経て交換機に送出するダイヤル情報送出手段と、前記自装置に接続した電話機用回線を経て所定の文書の画像情報を表わしたファクシミリ信号が送られてくるときこれを受信するファクシミリ信号受信手段とを備えた所定の電話機と、
付記１〜５いずれかに記載のファクシミリ装置
とを具備することを特徴とするファクシミリ通信システム。
【００８７】
（付記７）
前記所定の電話機は、前記ファクシミリ信号受信手段の受信したファクシミリ信号および前記ファクシミリ装置が前記ダイヤル情報入力手段で入力したダイヤル情報の示す宛先へ送信するファクシミリ信号を、前記ファクシミリ装置との間で授受するコネクタを具備することを特徴とする付記６記載のファクシミリ通信システム。
【００８８】
（付記８）
前記コネクタが前記ファクシミリ装置と接続されている状態で、かつ前記コネクタを経由してファクシミリ信号の送受信が行われていない状態で、前記所定の電話機の通話を確保するための送受話器と電話機本体を接続する経路を形成するスイッチ手段を具備していることを特徴とする付記７記載のファクシミリ通信システム。
【００８９】
（付記９）
前記電話機用回線は、ＩＰ（Internet  Protocol）電話網に接続されていることを特徴とする付記６記載のファクシミリ通信システム。
【００９０】
（付記１０）
文書の画像情報を表わしたファクシミリ信号の送受信に使用する回線としてのファクシミリ装置用回線がファクシミリ装置に接続されているか否かを検出する回線接続有無検出ステップと、
この回線接続有無検出ステップで前記ファクシミリ装置用回線がファクシミリ装置に接続されていないと判別したとき、ファクシミリ通信用の変復調装置を前記ファクシミリ装置用回線側からこのファクシミリ装置に外付けされた電話機との信号入出力側へと切り替える電話機側切替ステップと、
この電話機側切替ステップで前記電話機との信号入出力側へと切り替えた後、前記ファクシミリ装置のスタートキーが押下される時点を監視するスタートキー押下監視ステップと、
このスタートキー押下監視ステップでスタートキーが押下されたとき前記ファクシミリ装置に送信用の文書がセットされているか否かを判別する文書判別ステップと、
この文書判別ステップで文書がセットされていることが判別されたとき前記送信用の文書の読み取りを開始する文書読取ステップと、
この文書読取ステップで読み取った文書の画像情報を変調して前記電話機側切替ステップで切り替えられた前記電話機との信号入出力側の経路を介してこの電話機で発信したダイヤル情報の示す宛先へファクシミリ信号を送信する電話機経由送信ステップと、
前記文書判別ステップで文書がセットされていることが判別されなかったとき前記電話機との信号入出力側の経路を介してファクシミリ信号を受信する電話機経由受信ステップ
とを具備することを特徴とするファクシミリ通信方法。
【００９１】
（付記１１）
前記回線接続有無検出ステップで前記ファクシミリ装置用回線がファクシミリ装置に接続されていると判別したとき、前記ファクシミリ装置用回線を使用してファクシミリ信号の送信または受信を行う電話機非経由送受信ステップを具備することを特徴とする付記１０記載のファクシミリ通信方法。
【００９２】
（付記１２）
前記回線接続有無検出ステップで前記ファクシミリ装置用回線がファクシミリ装置に接続されていないと判別したとき、前記電話機を使用してファクシミリ信号の送受信を行う際の助けとなる情報を前記表示手段に表示するヘルプ表示ステップを具備することを特徴とする付記１０記載のファクシミリ通信方法。
【００９３】
（付記１３）
ファクシミリ装置のコンピュータに、
文書の画像情報を表わしたファクシミリ信号の送受信に使用する回線としてのファクシミリ装置用回線がファクシミリ装置に接続されているか否かを検出する回線接続有無検出処理と、
この回線接続有無検出処理で前記ファクシミリ装置用回線が前記ファクシミリ装置に接続されていないと判別したとき、ファクシミリ通信用の変復調装置を前記ファクシミリ装置用回線側からこのファクシミリ装置に外付けされた電話機との信号入出力側へと切り替える電話機側切替処理と、
この電話機側切替処理で前記電話機との信号入出力側へと切り替えた後、前記ファクシミリ装置のスタートキーが押下される時点を監視するスタートキー押下監視処理と、
このスタートキー押下監視処理でスタートキーが押下されたとき前記ファクシミリ装置に送信用の文書がセットされているか否かを判別する文書判別処理と、
この文書判別処理で文書がセットされていることが判別されたとき前記送信用の文書の読み取りを開始する文書読取処理と、
この文書読取処理で読み取った文書の画像情報を変調して前記電話機側切替処理で切り替えられた前記電話機との信号入出力側の経路を介してこの電話機で発信したダイヤル情報の示す宛先へファクシミリ信号を送信する電話機経由送信処理と、
前記文書判別処理で文書がセットされていることが判別されなかったとき前記電話機との信号入出力側の経路を介してファクシミリ信号を受信する電話機経由受信処理
とを実行させることを特徴とするファクシミリ通信プログラム。
【００９４】
（付記１４）
前記回線接続有無検出処理で前記ファクシミリ装置用回線がファクシミリ装置に接続されていると判別したとき、前記ファクシミリ装置用回線を使用してファクシミリ信号の送信または受信を行う電話機非経由送受信処理を前記コンピュータが更に実行させることを特徴とする付記１３記載のファクシミリ通信プログラム。
【００９５】
（付記１５）
前記回線接続有無検出処理で前記ファクシミリ装置用回線がファクシミリ装置に接続されていないと判別したとき、前記電話機を使用してファクシミリ信号の送受信を行う際の助けとなる情報を前記表示手段に表示するヘルプ表示処理を前記コンピュータが更に実行させることを特徴とする付記１３記載のファクシミリ通信プログラム。
【産業上の利用可能性】
【００９６】
以上説明したように本発明はデジタル電話回線およびＩＰ電話網の用途に供する交換機に対して使用可能である。したがって、本発明で使用する電話機は、デジタル電話機やＩＰ電話機も本発明の適用対象となるファクシミリ通信システムの構成要素となり得ることは当然である。
【符号の説明】
【００９７】
１０、２２、２０１  ファクシミリ装置
１１  入力用接続端子
１２  復調手段
１３  変調手段
１４  出力用接続端子
２０  ファクシミリ通信システム
２１  所定の電話機
２１ａ  ダイヤル情報入力手段
２１ｂ  ダイヤル情報送出手段
２１ｃ  ファクシミリ信号受信手段
３０  ファクシミリ通信方法
３１  回線接続有無検出ステップ
３２  電話機側切替ステップ
３３  スタートキー押下監視ステップ
３４  文書判別ステップ
３５  文書読取ステップ
３６  電話機経由送信ステップ
３７  電話機経由受信ステップ
４０  ファクシミリ通信プログラム
４１  回線接続有無検出処理
４２  電話機側切替処理
４３  スタートキー押下監視処理
４４  文書判別処理
４５  文書読取処理
４６  電話機経由送信処理
４７  電話機経由受信処理
２００  ファクシミリ通信システム
２０３  回線差込み用雌型コネクタ
２０４  送受話器ケーブル差込み用雌型コネクタ
２０５  電話機本体側ケーブル差込み用雌型コネクタ
２０６  モジュラージャック
２０７  送受話器ケーブル雄型コネクタ
２０８  電話機本体ケーブル雄型コネクタ
２１１  第１の電話回線
２１２  電話機
２１３  送受話器
２１４  電話機本体
２１５  第２の電話回線
２２１、２６１  主制御部
２２２、２６２  ＣＰＵ
２２３、２６３  メモリ
２２４  読取部
２２５  記録部
２２６  表示部
２２７  操作部
２２８  ファクシミリモデム
２２９  第１の切替部
２３３  第２の切替部
２４３  回線検出部
２６５  ファクシミリ送受信対応部
２６６  回線接続部
２６７  コネクタ接続部
２６８  モード判別部
２６９  雌型コネクタ
【図１】
2014022980.tif 000003
【図２】
2014022980.tif 000004
【図３】
2014022980.tif 000005
【図４】
2014022980.tif 000006
【図５】
2014022980.tif 000007
【図６】
2014022980.tif 000008
【図７】
2014022980.tif 000009
【図８】
2014022980.tif 000010
【図９】
2014022980.tif 000011
【図１０】
2014022980.tif 000012